(57)【要約】【課題】この発明は、構造が簡単で製造工程が少なく、安価に供給することのできるグラウト材圧入管を提供することを目的とするものである。【解決手段】本発明は、環状に配置されて長さ方向に延びる複数のたて糸２と、当該たて糸２と交差して周方向に延びるよこ糸３とを筒状に織成してなり、前記よこ糸３が少なくともその一部が剛直な線状体よりなっている。前記たて糸２及び／又はよこ糸３の全部又は一部が、水溶性繊維よりなることが好ましい。【選択図】          図１
2004225491.tif 000002
【特許請求の範囲】
【請求項１】
環状に配置されて長さ方向に延びる複数のたて糸（２）と、当該たて糸（２）と交差して周方向に延びるよこ糸（３）とを筒状に織成してなり、前記よこ糸（３）が少なくともその一部が剛直な線状体よりなることを特徴とする、グラウト材圧入管
【請求項２】
前記よこ糸（３）が、前記剛直な線状体と繊維製の糸とを交互に配置したことを特徴とする、請求項１に記載のグラウト材圧入管
【請求項３】
前記たて糸（２）及び／又はよこ糸（３）の全部又は一部が、水溶性繊維よりなることを特徴とする、請求項１又は２に記載のグラウト材圧入管
【請求項４】
前記たて糸（３）が管の長さ方向に対して若干の角度をもって螺旋状に延びるように、捩じれていることを特徴とする、請求項１、２又は３に記載のグラウト材圧入管
【発明の詳細な説明】
【０００１】
【発明の属する技術分野】
本発明はグラウト材圧入管に関するものであって、特に、建築物などのコンクリート構築物における、コンクリートの打継部やクラック発生部に、補修用のグラウト材を圧入するための管に関するものである。
【０００２】
【従来の技術】
一般に建築物などのコンクリート構築物を構築する際には、当該構築物の下部から上部に向かって、数回に分けてコンクリートを打設し、全体として一体の構築物を形成する。
【０００３】
そのとき、先に打設した下部のコンクリートが固まらないうちに、上部のコンクリートを打設することが好ましいとされているが、必ずしも常にその様な理想的な施工が行われるとは限らず、下部のコンクリートが完全に固まった後に、上部のコンクリートが打設されることも少なくない。
【０００４】
このような施工が行われると、先に打った下部のコンクリートと、後に打たれた上部のコンクリートとの接合強度が低く、施工後のコンクリートの収縮などにより、そのコンクリートの打継部が離れて隙間を生じ、そこから漏水を生じることがある。
【０００５】
これに対し、前記コンクリートの打継部に有孔管を設置し、この有孔管を通してグラウト材などを圧入することにより、当該有孔管の壁面から漏出したグラウト材で前記隙間を埋めて漏水を防止することが行われている。
【０００６】
またかかる有孔管として、特開昭５９−２１２２４４号公報には、多数の孔を穿設した内側弾性可撓管の外側に管状フィルタ層を形成し、さらにその外側を網状の管状保護層で覆った多層有孔管が示されている。
【０００７】
【発明が解決しようとする課題】
しかしながら前述のような有孔管は、プラスチックなどの管に単純に孔を穿設しただけのものでは、コンクリートの打設時にその孔からコンクリートが入り込み、管を詰めてしまう可能性がある。
【０００８】
またコンクリートが管内に入り込まないように、管の表面を多孔質の材料で覆ったものでは、その有孔管を既に打設したコンクリートの上に設置する際に、コンクリートの表面を引き摺って表面の多孔質材がずれたり、摩擦により損傷を受けたりする恐れがある。
【０００９】
さらに前記公報に示された有孔管は、多孔質のフィルター材の外側をさらに網状の保護層で覆ったものであるが、構造が複雑であってその製造に多数の工程を必要とし、高価なものとなる。
【００１０】
本発明はかかる事情に鑑みなされたものであって、構造が簡単で製造工程が少なく、安価に供給することのできるグラウト材圧入管を提供することを目的とするものである。
【００１１】
【課題を解決するための手段】
而して本発明のグラウト材圧入管は、環状に配置されて長さ方向に延びる複数のたて糸と、当該たて糸と交差して周方向に延びるよこ糸とを筒状に織成してなり、前記よこ糸が少なくともその一部が剛直な線状体よりなることを特徴とするものである。
【００１２】
本発明においては、前記よこ糸として、前記剛直な線状体と繊維製の糸とを交互に配置したものとすることが好ましい。また前記たて糸及び／又はよこ糸の全部又は一部が、水溶性繊維よりなるものとすることも好ましいことである。
【００１３】
また前記たて糸が、管の長さ方向に対して若干の角度をもって螺旋状に延びるように、グラウト材圧入管が全体として捩じれた状態となっていることが好ましい。
【００１４】
【発明の実施の形態】
図１は本発明のグラウト材圧入管１を示すものであって、環状に配置されて長さ方向に延びる複数のたて糸２と、当該たて糸２と交差して周方向に延びるよこ糸３とが、筒状に織成されて筒状織布が形成されており、当該筒状織布がグラウト材圧入管１を形成している。
【００１５】
そして本発明においては、前記よこ糸３の全部又は一部が、金属線又は合成樹脂のブリッスルなどのような、剛直な線状体よりなっている。図１の例においては、図１（ｂ）に示されるように、合成樹脂のブリッスル３ａと通常の繊維糸３ｂとが、交互に織り込まれている。
【００１６】
前記たて糸２又は繊維糸３ｂは、水溶性繊維よりなるものとすることが好ましい。これらのたて糸２及び繊維糸３ｂは、グラウト材圧入管１の形態を維持するために必要であるが、後打ちのコンクリートがある程度硬化するまで存在し続ければよく、それ以後はコンクリート中の水や後に注入される水に溶解し、消滅したり強度が極端に低下することが好ましい。
【００１７】
また本発明のグラウト材圧入管１は、前記たて糸２が管の長さ方向に対して若干の角度をもって螺旋状に延びるように、捩じれていることが好ましい。グラウト材圧入管１が捩じれていることにより、たて糸２とよこ糸３とにより形成される織り目が縮小し、当該織り目を通してコンクリートがグラウト材圧入管１内に侵入するのを防止することができる。
【００１８】
【作用】
図２は、本発明のグラウト材圧入管１の使用状態を示すものである。図２において４は構築物を形成するコンクリート４であり、４ａは予め打設されていた先打ちコンクリート４ａ、４ｂは先打ちコンクリート４ａの上部に後から継ぎ足して打設された後打ちコンクリート４ｂである。また５は、コンクリート４を補強する鉄筋５である。
【００１９】
而して本発明のグラウト材圧入管１は、先打ちコンクリート４ａを打設した後、後打ちコンクリート４ｂを打設する前に、先打ちコンクリート４ａにおける打継部６上に沿って配置し、当該グラウト材圧入管１の両端は構築物の壁面から突出させておく。
【００２０】
なお本発明のグラウト材圧入管１はそれ自体織物構造を有しており、柔軟であって自由に屈曲し得るので、構築物の隅部などにおいてもその形状に沿って屈曲して配置することができる。
【００２１】
次いで、前記コンクリート４ａにおける打継部６上にコンクリートを流し込み、後打ちコンクリート４ｂを打設すると共に、グラウト材圧入管１を打継部６に埋め込む。
【００２２】
グラウト材圧入管１はよこ糸３に剛直な線状体が使用されているので、流し込んだコンクリートの圧力に耐え、押し潰されることはない。またグラウト材圧入管１の織り目が十分に密であれば、その織り目を通してコンクリートがグラウト材圧入管１内に入り込むことはない。
【００２３】
またグラウト材圧入管１の織り目が十分に密でない場合には、前述のようにグラウト材圧入管１を捩じった状態とすることにより織り目を縮小し、コンクリートの侵入を防止することができる。
【００２４】
構築物の構築が終了した後、打設したコンクリート４が収縮すると、打継部６の接合強度が不十分であった場合には、図２に示すように打継部６において先打ちコンクリート４ａと後打ちコンクリート４ｂとが離れて隙間７が生じ、その隙間７を通じて漏水が生じる。
【００２５】
このような場合には、構築物の表面から突出したグラウト材圧入管１の端末からグラウト材を圧入する。グラウト材としては、隙間７やクラックの隅々まで侵入する必要があるため、比較的粘度が低いものが好ましい。セメントミルクや二液混合型ポリウレタン、モルタルなどが適当である。
【００２６】
グラウト材圧入管１に圧入されたグラウト材は、グラウト材圧入管１の織り目の間から漏出し、隙間７やクラック内に侵入してそこで硬化し、隙間７やクラックを埋め、漏水を止める。
【００２７】
グラウト材圧入管１から漏出するグラウト材が不十分である場合には、前述のようにたて糸２又は繊維糸３ｂを水溶性繊維で構成するのが好ましい。グラウト材の圧入に先立ってグラウト材圧入管１内に水又は温水を注入し、水溶性繊維を溶解し又はその強度を極端に低下させることにより、十分な量のグラウト材を漏出させ、隙間７などを十分に埋めることができる。
【００２８】
グラウト材圧入管１内にグラウト材を圧入し、当該グラウト材を隙間７などに浸透させ、その状態でグラウト材を硬化させると、隙間７やクラックはグラウト材で埋められ、そこを通しての漏水は防止される。
【００２９】
構築物が完成した直後にグラウト材圧入管１にグラウト材を圧入して、予め生じた隙間７を埋めておくこともできるが、本発明のグラウト材圧入管１は一回に限って使用されるものであるので、構築物の完成後相当の期間が経過し、隙間７やクラックが拡大して漏水が相当程度激しくなった頃に、グラウト材を圧入して漏水を止めるのが好ましい。
【００３０】
【発明の効果】
本発明によれば、グラウト材圧入管１は織物構造を有しており、その織り目の間からコンクリートの侵入を防止し得ると共に、圧入されたグラウト材をその織り目から漏出させることができる。また強固な織物構造を有しているので、先打ちコンクリート４ａ上を多少引き摺っても、織り目がずれたり損傷が生じたりすることがない。
【００３１】
従って本発明のグラウト材圧入管１は、単一の筒状織物で、前記公報に記載された有孔管における可撓管とフィルター層と保護層とのすべての機能を有しており、構造が極めて簡単である。
【００３２】
また本発明によれば、グラウト材圧入管１はそれ自体単純な筒状の織物の構造を有しているので、筒状織物の織製という簡単な単一の工程で製造することができ、安価に提供することができる。
【図面の簡単な説明】
【図１】本発明のグラウト材圧入管を示すものであって、（ａ）は横断面図、（ｂ）は一部の縦断面図である。
【図２】本発明のグラウト材圧入管の使用状態を示す断面図
【符号の説明】
１  グラウト材圧入管
２  たて糸
３  よこ糸
３ａ  ブリッスル（線状体）
３ｂ  繊維糸
【図１】
2004225491.tif 000003
【図２】
2004225491.tif 000004